(57)【要約】【課題】パワードスピーカー装置の製品重量を軽量化すると同時に、容易に大出力化を実現するパワードスピーカー装置を提供すること。【解決手段】電源部２４は、単相三線式交流電源２５からアース線と一方の接続線から得られる交流電源と、前記アース線と他の一方の接続線から得られる交流電源とから、逆相の交流電源を入力して、全波整流し、電圧変動を平滑して、正負約１４０Ｖの直流電力を生成し、この直流電力をパワーアンプ２２に供給することにより、電源トランスを用いずに、大きな出力電圧をスピーカー２３に供給することができ、小型軽量で大出力を実現することができる。【選択図】　　　図１
2004129017.tif 000002
【特許請求の範囲】
【請求項１】
音声信号を入力する音声信号入力部と、
前記音声信号入力部に入力された音声信号を増幅する音声信号増幅部と、
前記音声信号増幅部を駆動させる駆動電力を供給する駆動電力供給部と、
前記音声信号増幅部に増幅された音声信号を音波に変換して拡声するスピーカーとを備え、
前記駆動電力供給部は、複数の位相の異なる交流電源から電力を入力して、全波整流し、電圧変動を平滑して、前記入力した最大電圧と同等の直流電力を生成し、この直流電力を前記音声信号増幅部に供給することを特徴とするパワードスピーカー装置。
【請求項２】
前記電力供給部は、単相三線式交流電源からアース線と一方の接続線から得られる交流電源と、前記アース線と他の一方の接続線から得られる交流電源とから、逆相の交流電源を前記位相の異なる交流電源として入力することを特徴とするパワードスピーカー装置。
【発明の詳細な説明】
【０００１】
【発明の属する技術分野】
本発明は、スピーカーにパワーアンプを内蔵したパワードスピーカー装置に関するものである。
【０００２】
【従来の技術】
従来、パワードスピーカー装置は、入力された音声信号を増幅するため、内部にアンプ部を備えている。このようなスピーカーシステムでは、例えば、パワーアンプ部を有し、このパワーアンプ部に電力供給して駆動させ、入力された音声信号をパワーアンプ部で適切な電圧まで増幅して、スピーカーから拡声するようになっている（例えば、特許文献１参照）。
【０００３】
ここで、従来のパワードスピーカー装置を、図２に示し、説明する。従来のパワードスピーカー装置は、図２に示すように、入力端子１１、パワーアンプ１２、スピーカー１３、電源部１４、電源トランス１５により構成されている。
【０００４】
このような構成において、パワードスピーカー装置は、入力端子１１から音声信号が入力され、パワーアンプ１２で増幅され、スピーカー１３より拡声される。
【０００５】
また、パワーアンプ１２は、電源トランス１５とともに、電源部１４から、スピーカー１３を駆動するために必要な電力が供給される。電源トランス１５は、単層二線式交流電源１６から電源供給され、一次側電源となる。また、供給側交流電源１６は、交流単相二線式が用いられていることから、パワーアンプ１２の電源とするための正負直流電源を派生させるためにも電源トランス１５が必要となる。
【０００６】
また、通常の家庭用の単層二線式交流電源１６から供給される電圧は交流１００Ｖ電源なので、電源部１４、電源トランス１５のようなセンタータップ式トランスでは、トランスで電圧を昇圧しないと、電源部１４からは正負約７０Ｖの電圧しか得られず、大出力ができない。したがって、このような点からも電源トランスが必要であった。
【０００７】
【特許文献１】
特開２０００−３４１０５８号公報
【０００８】
【発明が解決しようとする課題】
しかしながら、このような従来のパワードスピーカー装置における電源トランスは、出力に見合った電力を供給する必要から、大型で重い部品となり製品として重くなり取り扱い面で問題があり、大出力化は困難であるという問題があった。
【０００９】
本発明はこのような問題を解決するためになされたもので、従来のパワードスピーカー装置を軽量化すると同時に、容易に大出力化を実現することができる優れたパワードスピーカー装置を提供するものである。
【００１０】
【課題を解決するための手段】
本発明のパワードスピーカー装置は、音声信号を入力する音声信号入力部と、前記音声信号入力部に入力された音声信号を増幅する音声信号増幅部と、前記音声信号増幅部を駆動させる駆動電力を供給する駆動電力供給部と、前記音声信号増幅部に増幅された音声信号を音波に変換して拡声するスピーカーとを備え、前記駆動電力供給部は、複数の位相の異なる交流電源から電力を入力して、全波整流し、電圧変動を平滑して、前記入力した最大電圧と同等の直流電力を生成し、この直流電力を前記音声信号増幅部に供給することを特徴とした構成を有している。
【００１１】
この構成により、複数の位相の異なる交流電源から電力を入力して、入力した最大電圧と同等の直流電力を生成し、前記音声信号増幅部に供給するので、電源トランスを用いずに、大きな出力電圧をスピーカーに供給することができ、小型軽量で大出力を実現することができることとなる。
【００１２】
また、本発明のパワードスピーカー装置は、前記電力供給部は、単相三線式交流電源からアース線と一方の接続線から得られる交流電源と、前記アース線と他の一方の接続線から得られる交流電源とから、逆相の交流電源を前記位相の異なる交流電源として入力することを特徴とした構成を有している。
【００１３】
この構成により、単相三線式交流電源のアース線と一方の接続線から得られる交流電源と、アース線と他の一方の接続線から得られる逆相の交流電源とから、全サイクルにおいて有効に直流電源を生成することができるので、容易に準備することができる単相三線式交流電源を用いて、有効な直流電源生成を行うことができ、設置場所を問わない小型軽量で大出力のパワードスピーカー装置を提供することができることとなる。
【００１４】
【発明の実施の形態】
以下、本発明の実施の形態について、図面を用いて説明する。
【００１５】
本発明の実施の形態のパワードスピーカー装置の構成図を、図１に示す。
【００１６】
図１に示すように、本発明の実施の形態のパワードスピーカー装置２０は、外部から音声信号を入力する入力端子２１、入力された音声信号の電圧増幅を行うパワーアンプ２２、パワーアンプ２２で電圧増幅された音声信号を音波に変換して拡声するスピーカー２３、パワーアンプ２２に電力供給を行う電源部２４を備えている。また、電源部２４は、単相三線式交流電源２５と接続されている。
【００１７】
また、入力端子２１は、外部の音声入力機器と接続され、この音声入力機器によって音声信号が入力されるものである。ここで、音声入力機器とは、マイクロホン等である。
【００１８】
パワーアンプ２２は、入力端子２１に接続され、電源部２４から駆動電力を供給されることにより、入力端子２１に入力された音声信号を増幅するものである。スピーカー２３は、パワーアンプ２２に接続され、パワーアンプ２２に増幅された音声信号を音波に変換して拡声するものである。
【００１９】
電源部２４は、パワードスピーカー装置２０の外部から、交流の電力を入力し、この交流の電力を直流に変換して平滑し、パワーアンプ２２に駆動電力として供給するものである。また、電源部２４は、単相三線式交流電源２５と接続し、この単層三線式交流電源２５の三線に接続される各端子を、端子部ａ、端子部ｂ、端子部ｃとすると、端子部ａを単層三線式交流電源２５のアース端子に接続し、端子部ｂを単層三線式交流電源２５のアース端子以外の一方の接続端子に接続し、端子部ｃを単層三線式交流電源２５のアース端子以外の他の一方の接続端子に接続する。
【００２０】
また、電源部２４では、全波整流することにより、端子部ａと端子部ｂとから得られる１００Ｖ交流電源から半波分の直流電源と、端子部ａと端子部ｃとから得られる逆相の１００Ｖ交流電源から残りの半波分の直流電源とが得られ、整流して約＋１４０Ｖの直流電源を得ることができる。また、同様にして、端子部ａと端子部ｃとから得られる（端子部ａと端子部ｂとから得られる交流電源に対して）逆相の１００Ｖ交流電源と、端子部ａと端子部ｂとから得られる１００Ｖ交流電源と、から約−１４０Ｖの直流電源を得ることができる。
【００２１】
したがって、電源部２４は、単層三線式交流電源２５から逆相の交流電源を入力し、正負約１４０Ｖの直流電源を生成して、パワーアンプ２２に供給することができる。
【００２２】
次に、本実施の形態に係るパワードスピーカー装置２０の動作について、説明する。
【００２３】
まず、本パワードスピーカー装置２０において、単相三線式交流電源２５から逆相の各ＡＣ１００Ｖ電源が供給され、パワードスピーカー装置２０の電源部２４に供給された交流の電力は、直流に変換されて平滑され、正負約１４０Ｖの直流電源を生成し、パワーアンプ２２に駆動電力として供給される。
【００２４】
一方、パワードスピーカー装置２０の入力端子２１から入力された音声信号は、パワーアンプ２２に入力される。パワーアンプ２２では、電源部２４によって供給された電力を駆動電力として、入力された音声信号を増幅し、スピーカー２３に出力する。スピーカー２３では、パワーアンプ２２から入力された音声信号を、音波に変換し、拡声する。
【００２５】
ここで、上記のように、パワーアンプ２２の電源は、電源部２４から供給される。さらに、電源部２４は、単相三線式交流電源２５より交流電源を供給されている。電源部２４は、単相三線式交流電源２５から逆相の各ＡＣ１００Ｖ電源を全波整流、平滑することにより、正負それぞれ約１４０Ｖの直流電源を生成し、パワーアンプ２２へ供給する。したがって、スピーカー２３のインピーダンスが８Ωであるなら、正負約１４０Ｖの直流電源からは、１０００Ｗ以上の出力電力を生成することができる。以上のことから、電源トランスを使用せずに１０００Ｗ以上の出力電力をスピーカーへ供給することができる。
【００２６】
【発明の効果】
以上説明したように、本発明は、複数の位相の異なる交流電源から電力を入力して、入力した最大電圧と同等の直流電力を生成し、音声信号増幅部に供給することにより、電源トランスを用いずに、大きな出力電圧をスピーカーに供給することができ、小型軽量で大出力を実現することができるというすぐれた効果を有するパワードスピーカー装置を提供することができるものである。
【図面の簡単な説明】
【図１】本発明の実施の形態におけるパワードスピーカー装置の構成を示すブロック図
【図２】従来のパワードスピーカー装置の構成を示すブロック図
【符号の説明】
１１　入力端子
１２　パワーアンプ
１３　スピーカー
１４　電源部
１５　電源トランス
１６　単相二線式交流電源
２０　パワードスピーカー装置
２１　入力端子
２２　パワーアンプ
２３　スピーカー
２４　電源部
２５　単相三線式交流電源
【図１】
2004129017.tif 000003
【図２】
2004129017.tif 000004